(57)【要約】      （修正有）【課題】マスク、眼帯やアイマスクの耳掛け紐に皮膚への当たりを緩和する当たり緩和具を簡単に取り付ける。【解決手段】当たり緩和具１は、弾性軟質合成樹脂製で丸棒形状であって、耳と頭の間の溝に嵌まって耳の付け根に沿って湾曲する構成にし、外周面から軸心部に達する溝２を、両端面の間に貫通して形成し、溝２の片側の側面に接着層３を設けて接着層３を剥離テープ４で被覆している。当たり緩和具１は、マスク、眼帯やアイマスクの耳掛け紐に取り付けるときに、溝２に耳掛け紐を挿入し、溝２内の接着層３の剥離テープを剥ぎ取って溝２の両側の側面を接着する。【選択図】図１
0003115302.tif 000002
【実用新案登録請求の範囲】
【請求項１】
口と鼻を覆うマスク、目を覆う眼帯やアイマスクの耳掛け紐の皮膚への当たりを緩和する当たり緩和具であり、
当たり緩和具は、弾性軟質合成樹脂製で丸棒形状であって、耳と頭の間の溝に嵌まって耳の付け根に沿って湾曲する構成にし、
丸棒形状の弾性軟質合成樹脂製の当たり緩和具は、外周面から軸心部に達する溝を、両端面の間に貫通して形成し、溝の片側の側面に接着層を設けて接着層を剥離テープで被覆しており、
この当たり緩和具は、耳掛け紐に取り付けるときに、溝に耳掛け紐を挿入し、溝内の接着層の剥離テープを剥ぎ取って溝の両側の側面を接着する構成にしたことを特徴とする耳掛け紐の当たり緩和具。
【請求項２】
口と鼻を覆うマスク、目を覆う眼帯やアイマスクの耳掛け紐の皮膚への当たりを緩和する当たり緩和具であり、
当たり緩和具は、弾性軟質合成樹脂製で丸棒形状であって、耳と頭の間の溝に嵌まって耳の付け根に沿って湾曲する構成にし、
丸棒形状の弾性軟質合成樹脂製の当たり緩和具は、外周面から軸心部に達する溝を、両端面の間に貫通して形成し、溝に耳掛け紐と接着剤を入れ、溝の両側の側面を接着して、耳掛け紐に取り付けていることを特徴とすることを特徴とする耳掛け紐の当たり緩和具。
【考案の詳細な説明】
【技術分野】
【０００１】
本考案は、マスク、眼帯やアイマスクの着用時に耳掛け紐の当たりを緩和する技術に関する。
【背景技術】
【０００２】
病菌の吸入や放出を防ぐ時や、花粉や塵埃の吸入を防ぐ時に使用する衛生マスクは、口と鼻を覆う本体の左端と右端に、それぞれ、上端から下端に至るゴム紐を連結して、耳掛け紐を設けている。ゴム紐の耳掛け紐は、耳の付け根に引っ掛かってそこの皮膚に当る。耳掛け紐が当る皮膚は、圧迫されて、痛んだり、傷付いたりすることがある。
【０００３】
マスクの耳掛け紐が当る皮膚を保護するため、特許文献１においては、マスクの耳掛け紐に、間隔を置いて、数個の球状のパッドを固定して設けている。球状のパッドは、柔らかく通気性の良い材料、綿等からなる。
【０００４】
また、特許文献２においては、マスクの耳掛け紐に、ガーゼ、ウレタン、綿花又は包帯などを一枚又は複数枚積層したものを巻き付けて被覆している。
【０００５】
眼病の患者が目を覆う時に使用する医療用の眼帯は、目を覆う本体の左端と右端に、それぞれ、上端から下端に至る布紐又はゴム紐を連結して、耳掛け紐を設けている。この耳掛け紐は、マスクの耳掛け紐と同様に、耳の付け根に引っ掛かってそこの皮膚に当る。耳掛け紐が当る皮膚は、圧迫されて、痛んだり、傷付いたりすることがある。睡眠時や休息時に両目を覆うアイマスクの耳掛け紐でも、同様である。
【０００６】
【特許文献１】特開平４−３３２５６７号公報
【特許文献２】登録実用新案第３０６７４３６号公報
【考案の開示】
【考案が解決しようとする課題】
【０００７】
特許文献１は、マスクの耳掛け紐に球状のパッドを固定する旨を記載しているが、球状のパッドを固定する仕方を開示していない。綿の球状のパッド即ち綿球に耳掛け紐即ちゴム紐を貫通して、ゴム紐に綿球を固定する作業は、簡単ではなく、多くの手間が掛かる。
【０００８】
特許文献２は、マスクの耳掛け紐に、ガーゼ、ウレタン、綿花又は包帯を巻き付けて被覆する旨を記載しているが、巻き付けたガーゼなどを巻き戻り止めに固定する仕方を開示していない。ガーゼなどを耳掛け紐に巻き付けるのに多くの手間が掛かる上、巻き付けたガーゼなどを止めるのに多くの手間が掛かる。
【０００９】
マスクや眼帯などの耳掛け紐に皮膚への当たりを緩和する当たり緩和具を取り付けるのに当り、取り付ける作業に多くの手間が掛からないことが望まれる。
【００１０】
［課題を解決するための着想］
１）マスクや眼帯などの耳掛け紐の当たり緩和具は、形状を、耳と頭の間の溝に嵌まる丸棒形状にし、材料を、スポンジ状多孔質の発泡合成樹脂のような弾性軟質合成樹脂にすることにした。
【００１１】
この丸棒形状の弾性軟質合成樹脂製の当たり緩和具は、耳掛け紐に簡単に取り付けるため、外周面から軸心部に達する溝を、両端面の間に貫通して形成し、溝の片側の側面に接着層を設けて接着層を剥離テープで被覆することにした。
【００１２】
マスクや眼帯などの着用者は、耳掛け紐の皮膚への当たりを緩和したいときに、当たり緩和具を耳掛け紐に取り付ける。この際、当たり緩和具は、溝に耳掛け紐を挿入し、ほぼ軸心位置に耳掛け紐を貫通する。次に、溝内の接着層の剥離テープを剥ぎ取って接着層を露出し、接着層で溝の両側の側面を接着して溝を閉鎖する。すると、当たり緩和具が耳掛け紐に取り付けられる。当たり緩和具は、溝に耳掛け紐を挿入して溝内の接着層の剥離テープを剥ぎ取って溝の両側の側面を接着する作業で、簡単に取り付けられる。
【００１３】
当たり緩和具を取り付けた耳掛け紐を耳に掛けると、当たり緩和具が耳と頭の間の溝に嵌まって、耳の付け根に沿って湾曲する。丸棒形状の弾性軟質合成樹脂製の当たり緩和具が皮膚に当たり、ゴム紐又は布紐の耳掛け紐が皮膚に当るときよりも、当たりが弱くなる。
【００１４】
２）マスクや眼帯などの耳掛け紐に当たり緩和具を、常時、取り付けて置く場合は、次のようにすることにした。
【００１５】
丸棒形状の弾性軟質合成樹脂製の当たり緩和具は、外周面から軸心部に達する溝を、両端面の間に貫通して形成する。この当たり緩和具は、溝に耳掛け紐を挿入し、ほぼ軸心位置に耳掛け紐を貫通する。溝内には、接着剤を注入し、接着剤で溝の両側の側面を接着して溝を閉鎖する。すると、耳掛け紐に当たり緩和具が取り付けられる。当たり緩和具は、溝に耳掛け紐と接着剤を入れて溝の両側の側面を接着する作業で、簡単に取り付けられる。
【課題を解決するための手段】
【００１６】
１）口と鼻を覆うマスク、目を覆う眼帯やアイマスクの耳掛け紐の皮膚への当たりを緩和する当たり緩和具であり、
当たり緩和具は、弾性軟質合成樹脂製で丸棒形状であって、耳と頭の間の溝に嵌まって耳の付け根に沿って湾曲する構成にし、
丸棒形状の弾性軟質合成樹脂製の当たり緩和具は、外周面から軸心部に達する溝を、両端面の間に貫通して形成し、溝の片側の側面に接着層を設けて接着層を剥離テープで被覆しており、
この当たり緩和具は、耳掛け紐に取り付けるときに、溝に耳掛け紐を挿入し、溝内の接着層の剥離テープを剥ぎ取って溝の両側の側面を接着する構成にしたことを特徴とする。
【００１７】
２）口と鼻を覆うマスク、目を覆う眼帯やアイマスクの耳掛け紐の皮膚への当たりを緩和する当たり緩和具であり、
当たり緩和具は、弾性軟質合成樹脂製で丸棒形状であって、耳と頭の間の溝に嵌まって耳の付け根に沿って湾曲する構成にし、
丸棒形状の弾性軟質合成樹脂製の当たり緩和具は、外周面から軸心部に達する溝を、両端面の間に貫通して形成し、溝に耳掛け紐と接着剤を入れ、溝の両側の側面を接着して、耳掛け紐に取り付けていることを特徴とする。
【考案の効果】
【００１８】
マスク、眼帯やアイマスクの耳掛け紐に当たり緩和具を取り付けるときに、溝に耳掛け紐を挿入し、溝の両側の側面を接着する。当たり緩和具の取り付け作業に多くの手間が掛からない。
【考案を実施するための最良の形態】
【００１９】
［第１例（図１〜図４参照）］
本例におけるマスクの耳掛け紐の当たり緩和具１は、スポンジ状多孔質の弾性軟質合成樹脂製、実施例ではポリウレタンフォーム製であって、丸棒形状である。この弾性軟質合成樹脂の丸棒は、マスク着用者の耳と頭の間の溝に嵌まって耳の付け根に沿って湾曲する構成である。
【００２０】
丸棒形状の弾性軟質合成樹脂製の当たり緩和具１は、図１に示すように、外周面から軸心部に達する溝２を、両端面の間に貫通して形成している。溝２は、片側の側面に接着層３を設け、接着層３の接着面に剥離テープ４を粘着して接着層３を剥離テープ４で被覆している。
【００２１】
マスク１１の着用者は、マスク１１の耳掛け紐１２の当たりを緩和したいときに、当たり緩和具１を耳掛け紐１２に取り付ける。この際、図２に示すように、当たり緩和具１は、溝２にゴム紐又は布紐の耳掛け紐１２を挿入し、ほぼ軸心位置に耳掛け紐１２を貫通する。次に、溝２内の接着層３の剥離テープ４を剥ぎ取って接着層３を露出し、接着層３で溝２の両側の側面を接着して溝２を閉鎖する。すると、図３に示すように、耳掛け紐１２に当たり緩和具１が取り付けられる。
【００２２】
当たり緩和具１を取り付けた耳掛け紐１２を耳に掛けると、図４に示すように、当たり緩和具１が耳と頭の間の溝に嵌まって、耳の付け根に沿って湾曲する。当たり緩和具１が耳の付け根付近の広い範囲の皮膚に当たり、ゴム紐又は布紐の耳掛け紐１２が耳の付け根付近の狭い範囲の皮膚に当るときよりも、当たりが弱い。
【００２３】
［第２例（図３〜図５参照）］
本例におけるマスク１１の耳掛け紐１２の当たり緩和具１は、第１例におけるのと同様に、スポンジ状多孔質の弾性軟質合成樹脂製、実施例ではポリウレタンフォーム製であって、丸棒形状である。これは、マスク着用者の耳と頭の間の溝に嵌まって耳の付け根に沿って湾曲する構成である。
【００２４】
丸棒形状の弾性軟質合成樹脂製の当たり緩和具１は、図５に示すように、外周面から軸心部に達する溝２を、両端面の間に貫通して形成している。この当たり緩和具１は、溝２にゴム紐又は布紐の耳掛け紐１２を挿入し、ほぼ軸心位置に耳掛け紐１２を貫通している。溝２は、接着剤３を注入し、両側の側面を接着して閉鎖している。当たり緩和具１は、耳掛け紐１２に取り付けている。マスク１１は、図３に示すように、両側の耳掛け紐１２にそれぞれ当たり緩和具１を同様に取り付けている。
【００２５】
当たり緩和具１を両側の耳掛け紐１２に取り付けたマスク１１は、着用すると、図４に示すように、当たり緩和具１が着用者の耳と頭の間の溝に嵌まって、耳の付け根に沿って湾曲する。当たり緩和具１が耳の付け根付近の皮膚に当たり、当たりが弱い。
【産業上の利用可能性】
【００２６】
本考案は、病菌の吸入や放出を防ぐマスク、花粉や塵埃の吸入を防ぐマスク、眼病の患者が目を覆う眼帯や、睡眠時や休息時に両目を覆うアイマスクの耳掛け紐の当たり緩和に利用される。
【図面の簡単な説明】
【００２７】
【図１】本考案の実施形態の第１例における耳掛け紐の当たり緩和具の図で、（ａ）は平面図、（ｂ）は中間省略正面図。
【図２】同当たり緩和具を耳掛け紐に取り付けた状態を示す部分図で、（ａ）は平面図、（ｂ）は中間省略正面図。
【図３】同当たり緩和具をマスクの両側の耳掛け紐に取り付けた状態を示す正面図。
【図４】同当たり緩和具を取り付けたマスクを着用した状態を示す概略側面図。
【図５】実施形態の第２例における耳掛け紐の当たり緩和具の部分図で、（ａ）は平面図、（ｂ）は中間省略正面図。
【符号の説明】
【００２８】
１  耳掛け紐の当たり緩和具、弾性軟質合成樹脂の丸棒
２  溝
３  接着層、接着剤
４  剥離テープ
１１  マスク
１２  耳掛け紐
【図１】
0003115302.tif 000003
【図２】
0003115302.tif 000004
【図３】
0003115302.tif 000005
【図４】
0003115302.tif 000006
【図５】
0003115302.tif 000007